(57)【要約】【課題】容器を載置した状態のままで、内部の家庭用薄葉紙の詰め替えを行い易い家庭用薄葉紙収納容器を提供する。【解決手段】内部に家庭用薄葉紙Ｐが収納される容器本体１を備えた家庭用薄葉紙収納容器１００であって、容器本体１は、容器本体１の上部を形成する容器本体上部１１と、容器本体１の下部を形成する容器本体下部１２と、を備え、容器本体上部１１は、家庭用薄葉紙Ｐを取り出す取出孔１１２を有し、取出孔１１２を閉塞する開閉蓋２が備えられ、容器本体上部１１は、容器本体下部１２に回動自在に接続され、容器本体上部１１の開放角度を制限する開放制限手段１４を備える。【選択図】図５
2019172331.tif 000002
【特許請求の範囲】
【請求項１】
内部に家庭用薄葉紙が収納される容器本体を備えた家庭用薄葉紙収納容器であって、
前記容器本体は、
前記容器本体の上部を形成する容器本体上部と、前記容器本体の下部を形成する容器本体下部と、を備え、
前記容器本体上部は、家庭用薄葉紙を取り出す取出孔を有し、当該取出孔を閉塞する開閉蓋が備えられ、
前記容器本体上部は、前記容器本体下部に回動自在に接続され、
前記容器本体上部の開放角度を制限する開放制限手段を備えることを特徴とする家庭用薄葉紙収納容器。
【請求項２】
前記開放制限手段は、前記容器本体上部の開放角度を、60°以上160°以下に制限することを特徴とする請求項１に記載の家庭用薄葉紙収納容器。
【請求項３】
前記容器本体下部は、前記容器本体上部が開放された状態において前記容器本体を転倒し難くする重り部を備えることを特徴とする請求項１又は２に記載の家庭用薄葉紙収納容器。
【請求項４】
前記重り部は、前記容器本体下部の、前記容器本体上部と前記容器本体下部とが接続された側と対向する側の端部近傍に備えられていることを特徴とする請求項３に記載の家庭用薄葉紙収納容器。
【請求項５】
前記重り部は、前記容器本体下部の下面部に、前記容器本体下部の下面部の他の部分と比較して厚みが厚い部分を設けることによって形成されていることを特徴とする請求項３又は４に記載の家庭用薄葉紙収納容器。
【請求項６】
前記重り部は、弾性材料によって形成され、前記容器本体下部の下面部の外面側に前記弾性材料が露出するように形成されていることを特徴とする請求項５に記載の家庭用薄葉紙収納容器。
【請求項７】
前記重り部は、前記容器本体下部の下面部の外面側の全面に形成された、弾性材料によって形成された部分であることを特徴とする請求項３に記載の家庭用薄葉紙収納容器。
【請求項８】
前記開放制限手段は、前記容器本体の、前記容器本体上部と、前記容器本体下部との接続部分の下方に備えられた突起であることを特徴とする請求項１から７のいずれか一項に記載の家庭用薄葉紙収納容器。
【請求項９】
前記開放制限手段は、前記容器本体上部の、前記容器本体下部との接続部分の上部と、前記容器本体下部の、前記容器本体上部との接続部分の下部と、を繋ぐ、弾性材料によって形成された接続部であることを特徴とする請求項１から７のいずれか一項に記載の家庭用薄葉紙収納容器。
【発明の詳細な説明】
【技術分野】
【０００１】
本発明は、家庭用薄葉紙収納容器に関する。
【背景技術】
【０００２】
ウェットティッシュ等の家庭用薄葉紙の収納容器においては、容器内部の家庭用薄葉紙を詰め替えることができることが必須であるが、このための機構としては、容器本体の底蓋を取り外し可能としたものが知られている（例えば、特許文献１参照）。
【先行技術文献】
【特許文献】
【０００３】
【特許文献１】特開２０１６−１７２５８１号公報
【発明の概要】
【発明が解決しようとする課題】
【０００４】
このような家庭用薄葉紙収納容器においては、容器内部の家庭用薄葉紙の詰め替え時には、容器を持ち上げて裏返し、底蓋を剥がして内部に家庭用薄葉紙を詰めた上で、蓋体を取り付けて容器を再度裏返す必要があり、詰め替えに非常に手間が掛かった。
【０００５】
そこで、容器本体を上部と下部とに分割し、これらが回動自在に接続されているようにすれば、容器をテーブル等の上に載置したままで容器本体上部を回動させることで、容器内部の空間を開放し、家庭用薄葉紙の詰め替えを可能とすることができる。しかし、この場合、容器本体の上部が、容器本体の下部との接続部分を支点として１８０°回転してしまうと、容器上面と、家庭用薄葉紙収納容器が載置された載置面との間に使用者が指を入れるスペースがなくなり、これを再び閉じる作業が難しくなる。
【０００６】
本発明の課題は、容器を載置した状態のままで、内部の家庭用薄葉紙の詰め替えを行い易い家庭用薄葉紙収納容器を提供することである。
【課題を解決するための手段】
【０００７】
前記課題を解決するために、請求項１記載の発明は、
内部に家庭用薄葉紙が収納される容器本体を備えた家庭用薄葉紙収納容器であって、
前記容器本体は、
前記容器本体の上部を形成する容器本体上部と、前記容器本体の下部を形成する容器本体下部と、を備え、
前記容器本体上部は、家庭用薄葉紙を取り出す取出孔を有し、当該取出孔を閉塞する開閉蓋が備えられ、
前記容器本体上部は、前記容器本体下部に回動自在に接続され、
前記容器本体上部の開放角度を制限する開放制限手段を備えることを特徴とする。
本発明によれば、容器を載置した状態のままで、内部の家庭用薄葉紙の詰め替えを行い易い家庭用薄葉紙収納容器を提供することができる。
【０００８】
請求項２に記載の発明は、請求項１に記載の家庭用薄葉紙収納容器において、
前記開放制限手段は、前記容器本体上部の開放角度を、60°以上160°以下に制限することを特徴とする。
本発明によれば、さらに内部の家庭用薄葉紙の詰め替えが容易となる。
【０００９】
請求項３に記載の発明は、請求項１又は２に記載の家庭用薄葉紙収納容器において、
前記容器本体下部は、前記容器本体上部が開放された状態において前記容器本体を転倒し難くする重り部を備えることを特徴とする。
本発明によれば、家庭用薄葉紙収納容器を転倒し難くすることができる。
【００１０】
請求項４に記載の発明は、請求項３に記載の家庭用薄葉紙収納容器において、
前記重り部は、前記容器本体下部の、前記容器本体上部と前記容器本体下部とが接続された側と対向する側の端部近傍に備えられていることを特徴とする。
本発明によれば、さらに家庭用薄葉紙収納容器を転倒し難くすることができる。
【００１１】
請求項５に記載の発明は、請求項３又は４に記載の家庭用薄葉紙収納容器において、
前記重り部は、前記容器本体下部の下面部に、前記容器本体下部の下面部の他の部分と比較して厚みが厚い部分を設けることによって形成されていることを特徴とする。
本発明によれば、家庭用薄葉紙収納容器を転倒し難くすることができる。
【００１２】
請求項６に記載の発明は、請求項５に記載の家庭用薄葉紙収納容器において、
前記重り部は、弾性材料によって形成され、前記容器本体下部の下面部の外面側に前記弾性材料が露出するように形成されていることを特徴とする。
本発明によれば、家庭用薄葉紙収納容器を滑り難くすることができる。
【００１３】
請求項７に記載の発明は、請求項３に記載の家庭用薄葉紙収納容器において、
前記重り部は、前記容器本体下部の下面部の外面側の全面に形成された、弾性材料によって形成された部分であることを特徴とする。
本発明によれば、家庭用薄葉紙収納容器を滑り難くすることができる。
【００１４】
請求項８に記載の発明は、請求項１から７のいずれか一項に記載の家庭用薄葉紙収納容器において、
前記開放制限手段は、前記容器本体の、前記容器本体上部と、前記容器本体下部との接続部分の下方に備えられた突起であることを特徴とする。
本発明によれば、容器を載置した状態のままで、内部の家庭用薄葉紙の詰め替えを行い易い家庭用薄葉紙収納容器を提供することができる。
【００１５】
請求項９に記載の発明は、請求項１から７のいずれか一項に記載の家庭用薄葉紙収納容器において、
前記開放制限手段は、前記容器本体上部の、前記容器本体下部との接続部分の上部と、前記容器本体下部の、前記容器本体上部との接続部分の下部と、を繋ぐ、弾性材料によって形成された接続部であることを特徴とする。
本発明によれば、容器を載置した状態のままで、内部の家庭用薄葉紙の詰め替えを行い易い家庭用薄葉紙収納容器を提供することができる。
【発明の効果】
【００１６】
本発明によれば、容器を載置した状態のままで、内部の家庭用薄葉紙の詰め替えを行い易い家庭用薄葉紙収納容器を提供することができる。
【図面の簡単な説明】
【００１７】
【図１】実施形態に係る家庭用薄葉紙収納容器を斜め前方から見た斜視図である。なお、網掛け部分は弾性材料によって形成された部分を表す。この点は他の図においても同様である。
【図２】実施形態に係る家庭用薄葉紙収納容器を斜め後方から見た斜視図である。
【図３】図１のＹ方向中央部における断面図である。
【図４】開閉蓋が閉塞された状態における、図３と同一の部分における断面図である。
【図５】容器本体が開放された状態における、図３と同一の部分における断面図である。
【図６】容器本体が開放された状態における、実施形態に係る家庭用薄葉紙収納容器の平面図である。
【図７】変形例に係る家庭用薄葉紙収納容器を斜め前方から見た斜視図である。
【図８】変形例に係る家庭用薄葉紙収納容器のＹ方向中央部における断面図である。
【図９】容器本体が開放された状態における変形例に係る家庭用薄葉紙収納容器の、図８と同一の部分における断面図である。
【発明を実施するための形態】
【００１８】
以下、本発明の実施形態である家庭用薄葉紙収納容器１００の具体的な態様について、図１から図７に基づいて説明する。ただし、本発明の技術的範囲は、図示例に限定されるものではない。
なお、以下においては、図１に示すように、Ｘ軸、Ｙ軸及びＺ軸並びに前後方向、左右方向及び上下方向を定めて説明する。すなわち、家庭用薄葉紙収納容器１００の開閉蓋２が備えられた側を「上」、その反対側を「下」、容器本体１と開閉蓋２とが接続されている側を「後」、その反対側を「前」、後側を向いた状態における右手側を「右」、後側を向いた状態における左手側を「左」とし、前後方向に沿った軸をＸ軸、左右方向に沿った軸をＹ軸、上下方向の沿った軸をＺ軸とする。
【００１９】
［実施形態の構成］
｛全体構成｝
家庭用薄葉紙収納容器１００は、図１に示すように、内部の家庭用薄葉紙を取り出す取出孔１１２を備えた容器本体１と、取出孔１１２を覆うように開閉自在に容器本体１に接続された開閉蓋２と、容器本体１から開閉蓋２へと延在し、開閉蓋２を開放方向に付勢する第一付勢手段３とを備え、容器本体１の内部に家庭用薄葉紙Ｐが収納される収納空間Ｓが形成されている。
また、容器本体１と、開閉蓋２とは、射出成形（２色成形）によって一体的に形成することができる。
【００２０】
｛家庭用薄葉紙｝
家庭用薄葉紙Ｐとしては、例えば、小型のウェットシート、ウェットティッシュ等が交互に折り重ねられた状態で積層され、１枚のウェットシート、ウェットティッシュ等を引き出した際に次のウェットシート、ウェットティッシュ等も引き出されるように形成された、所謂ポップアップ式のシートが用いられる。その他には、例えば、長さ方向に一定の間隔でミシン目が施された長大なウェットシート、ウェットティッシュ等がロール状に巻かれ、ミシン目に沿って切り離して使用するロールシートを用いることもできる。
【００２１】
｛容器本体｝
容器本体１は、図１及び図２に示すように、全体として、Ｘ方向及びＺ方向に比してＹ方向に長い略直方体状に形成され、これがＺ方向中央部付近において上下に二分され、容器本体１の上側を構成する容器本体上部１１と、容器本体１の下側を構成する容器本体下部１２と、が形成されている。容器本体上部１１と、容器本体下部１２とは容器本体１の後側において接続されている。
容器本体上部１１と、容器本体下部１２とは、射出成形（２色成形）によって一体的に形成することができる。
また、図２に示すように、容器本体上部１１と、容器本体下部１２とが接続された後側には、容器本体上部１１を、容器本体下部１２に対して、開放方向へと付勢する第二付勢手段１３と、容器本体上部１１の開放角度を制限する開放制限手段１４と、が備えられている。
【００２２】
容器本体１は、全体が、Ｘ方向に好ましくは６０ｍｍから１５０ｍｍ、さらに好ましくは８０ｍｍから１００ｍｍ、Ｙ方向に好ましくは８０ｍｍから２００ｍｍ、さらに好ましくは１４５ｍｍから１６５ｍｍ、Ｚ方向に好ましくは３０ｍｍから１００ｍｍ、さらに好ましくは５０ｍｍから７０ｍｍの大きさとなるように形成されている。
また、各面の厚みは、好ましくは０．５ｍｍから３ｍｍ、さらに好ましくは１ｍｍから２ｍｍである。
この大きさ及び厚みであれば、成形効率が高く、かつ実使用に問題ない強度を達成することができる。
【００２３】
容器本体１は、使用者によって後述の第二係止手段１２２が操作され、容器本体上部１１と、容器本体下部１２との係止が解除されると、第二付勢手段１３の付勢力によって、容器本体上部１１が、容器本体上部１１と容器本体下部１２とが接続された後側を支点として回転するように形成されている。これによって、図５に示すように内部の収納空間Ｓが外部に開放された状態とすることができる。
また、収納空間Ｓを閉じる際には、使用者は、容器本体上部１１を上記とは反対に回転させた後、再び第二係止手段１２２によって、容器本体上部１１と、容器本体下部１２とを係止すればよい。
【００２４】
容器本体１後側の、容器本体上部１１と容器本体下部１２との接続部分が、図３から図５に示すように、容器本体１の他の部分と比較して薄くなるように形成されていることによって、当該接続部分において容器本体の後面が曲がり易くなり、容器本体上部１１を、当該接続部分を支点として、容器本体下部１２に対して回動させ易くなる。
【００２５】
なお、生産性は低下するものの、容器本体上部１１と、容器本体下部１２とを別体として形成の上、これらをヒンジ等によって回動自在に接続することも可能である。
また、容器本体１が容器本体上部１１と容器本体下部１２とに二分される位置は、図１から図５においては、Ｚ方向中央部付近とした場合につき図示したが、Ｚ方向中央部よりも上部であってもよい。この場合、収納された家庭用薄葉紙Ｐが所定の包装体によって覆われた状態で、容器本体１内に収納される場合において、容器の閉塞時に包装体のエンドシール部等を挟み込んでしまうおそれを低減することができ、家庭用薄葉紙Ｐをさらに詰め替え易くなる。
【００２６】
（容器本体上部）
容器本体上部１１は、図１から図６に示すように、下面が開口部となった略直方体状に形成され、上部に下方に凹状となる凹部１１１が形成されている。凹部１１１には、中央部に収納空間Ｓの家庭用薄葉紙Ｐを取り出す取出孔１１２が備えられ、取出孔１１２を囲むようにして、本体側密閉環部１１３が形成されている。
また、上面の前側には、開閉蓋２を開閉するための第一係止手段１１４が形成され、後ろ側には開放時の開閉蓋２を安定させるための上部滑り止め部１１５が形成されている。
また、下面の開口部の周囲には、後述の容器本体下部１２の下部嵌合部１２１と嵌合する上部嵌合部１１６が形成されている。
【００２７】
（取出孔）
取出孔１１２は、容器本体上部の上面略中央に形成された、収納空間Ｓにつながる孔部である。
図１においては、十字型に２本の切り込みを入れることにより形成されている場合につき図示したが、これに限られず、切り込みの本数はこれより多数でもよく、また、例えば、直角三角形の重心点と各頂点とを結ぶように、３本の切り込みを形成するようにしてもよい。
この取出孔１１２は、後述のようにその周囲が弾性を有する材料によって形成されており、家庭用薄葉紙Ｐに対して適切な抵抗を掛けることで、収納空間Ｓに収納された家庭用薄葉紙Ｐが引き出された後に、次の家庭用薄葉紙Ｐを保持する機能を果たす。また、家庭用薄葉紙Ｐがロールシートである場合において、家庭用薄葉紙Ｐに設けられている切断用のミシン目で、これを切断することを可能とする。
【００２８】
（本体側密閉環部）
本体側密閉環部１１３は、図１及び図２に示すように、取出孔１１２を囲むように環状に上方へと突出する凸部であり、図４及び図５に示すように、その外周側の面が後述の開閉蓋２に形成された開閉蓋側密閉環部２２の内周側の面と嵌合するように形成されている。
【００２９】
（第一係止手段）
第一係止手段１１４は、図１に示すように、本体側爪部１１４１を備えるボタン状に形成され、本体側爪部１１４１が後述の開閉蓋２に形成される開閉蓋側爪部２１と係合することによって、これを閉塞状態で係止するとともに、使用者が第一係止手段１１４を押圧した際には、本体側爪部１１４１と開閉蓋側爪部２１との係合が外れ、開閉蓋２が開放状態となるように形成されている。
【００３０】
（上部滑り止め部）
上部滑り止め部１１５は、図１及び図２に示すように、容器本体上部１１上面の、開閉蓋２との接続部分後方に形成された、開放時の開閉蓋２を滑り難くするための部分であり、後述のように弾性部材によって形成されていることによって、蓋体との間の摩擦抵抗を高め、その揺れを防止する。
【００３１】
（上部嵌合部）
上部嵌合部１１６は、図１から図６に示すように、容器本体上部１１下部の開口部の周囲に、容器本体上部１１と容器本体下部１２とが接続された後側を除いて形成され、下端部が外周側のみ突出し、上部突出部１１６１が形成されており、上部突出部１１６１の内周側の面が、後述の容器本体下部１２に形成される下部嵌合部１２１の下部突出部１２１１の外周側の面と嵌合するように形成されている。
上部嵌合部１１６は、上部突出部１１６１が、上下方向に好ましくは０．５ｍｍから５ｍｍ、さらに好ましくは１ｍｍから３ｍｍの長さを有するように形成される。
【００３２】
（係合凹部）
容器本体上部１１の前面の内面側には、図３から図５に示すように、前方へと凹状となる係合凹部１１７が形成されている。係合凹部１１７は、後述の容器本体下部１２に形成された第二係止手段１２２に形成されている係合凸部１２２１と係合することによって、容器本体上部１１を、容器本体下部１２に対し、収納空間Ｓが閉塞された状態で係止するとともに、使用者が第二係止手段１２２を押圧した際には、係合凹部１１７と係合凸部１２２１との係合が外れ、収納空間Ｓが開放された状態となるように形成されている。
【００３３】
（容器本体上部の材質）
容器本体上部は、図１及び図２に示すように、上面の本体側密閉環部１１３及び凹部１１１内における本体側密閉環部１１３によって囲まれた部分が、例えば、シリコンゴムや、スチレン−ブタジエン系、ポリエステル系、ポリエチレン系、ウレタン系等の熱可塑性エラストマー等の弾性を有する材料（以下、「弾性材料」という。）によって形成されている。弾性材料の性質としては、硬度が２０から９０であることが望ましい。なお、上記硬度は、JIS K 6253（タイプAデュロメータ）によって測定されたものである。
また、容器本体上部１１のうち、後述の第一付勢手段３及び第二付勢手段１３を形成する部分、上部滑り止め部１１５、上部嵌合部１１６も、同様の弾性材料によって形成されている。
容器本体上部のその他の部分は、例えば、ポリエチレン、ポリプロピレン等によって形成されている。
これらは、射出成形（２色成形）によって一体的に形成されている。
なお、弾性材料の硬度が上記よりも低くなると、柔らか過ぎて成形が難しく、成形効率が悪くなる。さらに、第一付勢手段３が開閉蓋２を開放方向へと付勢する力及び第二付勢手段１３が容器本体上部１１を開放方向へと付勢する力が十分でなくなる。また、硬度が上記よりも高くなると、取出孔１１２周辺が硬くなり、抵抗が掛かり過ぎて、シートが一枚ずつ取り出しにくくなり、かつ、シートを引っ張り出す際に容器内部まで指を入れ難くなる。さらに、第一付勢手段３が開閉蓋２を開放方向へと付勢する力及び第二付勢手段１３が容器本体上部１１を開放方向へと付勢する力が強くなり過ぎる。
したがって、弾性材料の硬度は、上記範囲とすることが望ましい。
【００３４】
（容器本体下部）
容器本体下部１２は、図１から図６に示すように、上面が開口部となった略直方体状に形成され、上面の開口部の周囲には、容器本体上部１１の上部嵌合部１１６と嵌合する下部嵌合部１２１が形成されている。また、前面には、容器本体１を開閉させるための第二係止手段１２２が備えられ、下面には重り部１２３が備えられている。
【００３５】
（下部嵌合部）
下部嵌合部１２１は、図１から図６に示すように、容器本体下部１２上部の開口部の周囲に、容器本体下部１２と容器本体上部１１とが接続された後側を除いて形成され、上端部が内周側のみ突出し、下部突出部１２１１が形成されており、下部突出部１２１１の外周側の面が、容器本体上部１１に形成される上部嵌合部１１６の上部突出部１１６１の内周側の面と嵌合するように形成されている。
下部嵌合部１２１は、下部突出部１２１１が、上下方向に好ましくは０．５ｍｍから５ｍｍ、さらに好ましくは１ｍｍから３ｍｍの長さを有するように形成される。
【００３６】
なお、上部嵌合部１１６の上部突出部１１６１が、内周側のみ突出するように形成され、下部嵌合部１２１の下部突出部１２１１が、外周側のみ突出するように形成され、上部突出部１１６１の外周側の面と、下部突出部１２１１の内周側の面とが嵌合するようにしてもよい。
また、上部突出部１１６１が、内周側と外周側の間の中央部が突出するように形成され、下部突出部１２１１が、内周側と外周側の両側において突出し、間に凹部が生じるように形成され、上部突出部１１６１と、下部突出部１２１１の間の凹部とが嵌合するようにしてもよい。反対に、上部突出部１１６１が、内周側と外周側の両側において突出し、間に凹部が生じるように形成され、下部突出部１２１１が、内周側と外周側の間の中央部が突出するように形成され、下部突出部１２１１と、上部突出部１１６１の間の凹部とが嵌合するようにしてもよい。
【００３７】
（第二係止手段）
第二係止手段１２２は、図１及び図３から図６に示すように、係合凸部１２２１を備えるボタン状に形成され、係合凸部１２２１が、容器本体上部１１に形成される係合凹部１１７と係合することによって、容器本体上部１１を、容器本体下部１２に対し、収納空間Ｓが閉塞された状態で係止するとともに、使用者が第二係止手段１２２を押圧した際には、係合凹部１１７と係合凸部１２２１との係合が外れ、収納空間Ｓが開放された状態となるように形成されている。なお、これとは反対に、第二係止手段１２２に凹部を設け、容器本体上部に凸部を設け、これらが係合するようにしてもよい。
【００３８】
（重り部）
重り部１２３は、図３から図６に示すように、容器本体下部１２下面の前側に設けられた、容器本体下部１２下面が、他の部分と比較して厚くなった部分である。図３から図６においては、重り部１２３が、容器本体下部１２の前面と接し、容器本体下部１２内部のＹ方向の全体に亘る直方体状となるように形成された場合につき図示したが、具体的な形状はこれに限られない。ただし、家庭用薄葉紙Ｐを収納する際の妨げとならないように、Ｙ方向に長く、Ｘ方向に短い形状に形成されていることが好ましい。
また、重り部１２３は、後述のように、容器本体上部１１を開放させた際に、家庭用薄葉紙収納容器１００が後方に倒れることを防ぐことを目的としたものであるところ、このような効果を効率的に生じさせるため、容器本体上部１１と容器本体下部１２とが接続された容器本体１の後方から遠い位置、すなわち、容器本体下部１２の前方側に形成されていることが望ましい。
具体的には、容器本体下部１２を前後方向に３等分した場合の、前方３分の１の範囲内に形成されていることが望ましい。
【００３９】
重り部１２３は、容器本体上部１１、容器本体下部１２及び開閉蓋２の重量や、容器本体上部１１が開放された際の、後述の開放制限手段１４によって定められる開放角度等に対応して、図５及び図６に示す容器本体上部１１を開放した状態において、家庭用薄葉紙収納容器１００が後方へと倒れない重量を有する必要がある。
【００４０】
重り部１２３を形成する材料としては、容器本体１の大部分を形成するポリエチレン、ポリプロピレン等の樹脂よりも密度の高い材料を用いることが好ましく、密度が1.0ｇ／ｃｍ３以上、2.0ｇ／ｃｍ３以下であることが好ましい。この範囲であれば、重り部１２３をそれほど大きくせずとも、十分な重量とすることができ、かつ家庭用薄葉紙収納容器１００が過度に重くなることもない。また、密度が1.1ｇ／ｃｍ３以上、1.9ｇ／ｃｍ３以下であれば、さらに好ましい。
具体的には、ＡＢＳ樹脂や、ポリ塩化ビニル、ＰＶＡ樹脂等の熱可塑性エラストマーや、ポリスチレン等を用いることができる。
【００４１】
また、重り部１２３の材料と、容器本体上部１１の取出孔１１２周辺等において用いられる上記の弾性材料とが同一であれば、さらに望ましい。
この場合、重り部１２３を形成する材料が、家庭用薄葉紙収納容器１００の他の弾性材料によって形成された部分と統一されることから、重り部１２３を含めて、家庭用薄葉紙収納容器１００を、射出成形（２色成形）によって一体的に形成することができる。これによって、重り部１２３を設けることによる生産性の低下を抑えることができる。
【００４２】
これに対し、生産性は低下するものの、重り部１２３は、このように一体的に形成せずに、別途形成した上で、所定の接着剤で接着する等の任意の方法によって、容器本体下部１２に備えられていてもよい。この場合、重り部１２３に用いることができる材料につき、家庭用薄葉紙収納容器１００の他の部分と統一する必要がなくなり、重り部１２３に用いる材料の選択肢を広げることができる。
【００４３】
また、図３から図５に示すように、重り部１２３を上記の弾性材料で形成しつつ、これが容器本体下部１２の下面側に露出するように形成することが望ましい。この場合、容器本体の他の部分を形成するポリエチレン、ポリプロピレン等の樹脂と比較して摩擦力の大きい弾性材料が、容器本体下部１２の下面側に露出していることによって、家庭用薄葉紙収納容器１００を載置した際にこれを滑りにくくすることができる。
【００４４】
（容器本体下部の材質）
容器本体下部１２は、下部嵌合部１２１が、容器本体上部１１において用いられるのと同様の弾性材料によって形成されている。また、後述の第二付勢手段１３を形成する部分も、同様の弾性材料によって形成されている。さらに、上記のように、重り部１２３も、同様の弾性材料によって形成されていることが好ましい。容器本体下部１２のその他の部分は、例えば、ポリエチレン、ポリプロピレン等によって形成されている。
これらは、射出成形（２色成形）によって一体的に形成されている。
【００４５】
（第二付勢手段）
第二付勢手段１３は、容器本体上部１１を、容器本体下部１２に対し開放方向へと付勢し、使用者が第二係止手段１２２を押圧し、係合凸部１２２１と、係合凹部１１７との係合が外れた際に、容器本体上部１１を、後方の容器本体下部１２との接続部分を回転軸として回転させ、収納空間Ｓを開放させるための部材である。
【００４６】
第二付勢手段１３は、図２に示すように、容器本体上部１１後面側の下部と、容器本体下部１２後面側の上部とを繋ぐようにして、容器本体上部１１及び容器本体下部１２に、弾性材料によって形成された部分を帯状に設けることによって形成されている。すなわち、第二付勢手段１３は、容器本体上部１１及び容器本体下部１２に埋め込まれるようにして、これらと一体的に形成されている。
なお、図２においては、第二付勢手段１３が２か所に設けられた場合につき図示したが、これに限られず、第二付勢手段１３は、これより多数設けられていてもよいし、一か所にのみ設けられていてもよい。
【００４７】
第二付勢手段１３は、容器本体上部１１の本体側密閉環部１１３で囲まれた部分等で用いられるのと同様の、シリコンゴムや、スチレン−ブタジエン系、ポリエステル系、ポリエチレン系、ウレタン系等の熱可塑性エラストマー等の弾性材料によって形成されている。
【００４８】
第二付勢手段１３は、家庭用薄葉紙収納容器１００の形成時において、容器本体１を、図５に示すように、容器本体上部１１と、容器本体下部１２とが開放された状態で形成し、第二付勢手段１３が、何ら力を加えられていない状態において、後方に折れた形状となるように形成することで、図３及び図４に示すように容器本体上部１１と容器本体下部１２とが閉じられ、第二付勢手段１３が伸ばされた際に、図５に示す状態に戻ろうとする力が生じるようにする。これによって、容器本体上部１１を、容器本体下部１２に対して、後方の容器本体上部１１と容器本体下部１２との接続部分を回転軸として後方へと回転するように付勢することが可能となる。
【００４９】
（開放制限手段）
開放制限手段１４は、容器本体１の開放時において、容器本体上部１１が、容器本体下部１２に対して開く角度を制限するための手段であり、図２から図５に示すように、容器本体１後面の、容器本体上部１１と、容器本体下部１２との接続部分の下方に、後方に突出する突起を設けるようにして形成されている。図２においては２つの突起が備えられた場合につき図示したが、具体的な形成数はこれに限られず、これより多数であってもよいし、１つのみであってもよい。
【００５０】
開放制限手段１４は、容器本体上部１１の開放角度（容器本体上部１１が、容器本体下部１２に対して最大まで開放された状態において、容器本体上部１１の閉塞時における下端部と、容器本体下部１２の上端部とがなす角度、すなわち図５におけるθのことをいう。）が、６０°以上、１８０°未満となるように、容器本体上部１１の開放を制限する。開放角度が６０°未満となると、開放された隙間が狭すぎて家庭用薄葉紙Ｐの詰め替えに支障が生じ、１８０°となると、開放された容器本体上部１１上面と、家庭用薄葉紙収納容器１００が載置された載置面Ｔとの間に使用者が指を入れるスペースがなくなり、これを閉じにくくなる。
さらに、家庭用薄葉紙Ｐを詰め替え易くしつつ、家庭用薄葉紙収納容器１００を後方へ倒れ難くするため、開放角度は、60°から160°であることが好ましく、１２０°から１５０°であることが最も好ましい。
【００５１】
｛開閉蓋｝
開閉蓋２は、図１から図５に示すように、容器本体上部１１の凹部１１１後方に回動自在に接続された扁平な略矩形状の部材であり、前側に開閉蓋側爪部２１を備え、下面側に開閉蓋側密閉環部２２を備える。
開閉蓋２は、図１から図５に示すように、閉塞時の平面視における形状が容器本体上部１１の凹部１１１の平面視における形状と略同一となるように形成されており、閉塞時において、凹部１１１に嵌め込むことができるように形成されている。
【００５２】
（開閉蓋側爪部）
開閉蓋側爪部２１は、図１から図５に示すように、開閉蓋２の前方に突出する爪部であり、容器本体上部１１の第一係止手段１１４に形成される本体側爪部１１４１と係合することによって、開閉蓋を閉塞状態で係止するとともに、使用者が第一係止手段１１４を押圧した際には、本体側爪部１１４１と開閉蓋側爪部２１との係合が外れ、後述の第一付勢手段３によって、開閉蓋２が開放状態となるように形成されている。
【００５３】
（開閉蓋側密閉環部）
開閉蓋側密閉環部２２は、図１に示すように、開閉蓋２の閉塞時における下面側中央部に形成された、下方へと環状に突出する凸部であり、図４及び図５に示すように、その内周側の面が、容器本体上部１１に形成された本体側密閉環部１１３の外周側の面と嵌合するように形成されている。
【００５４】
（開閉蓋の材質）
開閉蓋２は、図１に示すように、開閉蓋側密閉環部２２及び開閉蓋側密閉環部２２に囲まれた部分が、容器本体上部１１等において用いられるのと同様の弾性材料によって形成されている。また、後述の第一付勢手段３を形成する部分も、同様の弾性材料によって形成されている。その他の部分は、例えば、ポリエチレン、ポリプロピレン等によって形成されている。
これらは、射出成形（２色成形）によって一体的に形成されている。
【００５５】
｛第一付勢手段｝
第一付勢手段３は、開閉蓋２を開放方向へと付勢し、使用者が第一係止手段１１４を押圧し、本体側爪部１１４１と、開閉蓋側爪部２１との係合が外れた際に、開閉蓋２を後方の容器本体上部１１との接続部分を回転軸として回転するようにして開放させるための部材である。
【００５６】
第一付勢手段３は、図１から図５に示すように、容器本体上部１１の本体側密閉環部１１３の後方と、開閉蓋２の開閉蓋側密閉環部２２の開閉蓋２が閉塞された状態における後方とを繋ぐようにして、容器本体上部１１及び開閉蓋２に、弾性材料によって形成された部分を設けることによって形成されている。すなわち、第一付勢手段３は、容器本体上部１１の弾性材料によって形成された部分と、開閉蓋２の弾性材料によって形成された部分とを繋ぐようにして、容器本体上部１１及び開閉蓋２に埋め込まれるようにして、これらと一体的に形成されている。
【００５７】
第一付勢手段３は、容器本体上部１１の本体側密閉環部１１３で囲まれた部分等で用いられるのと同様の、シリコンゴムや、スチレン−ブタジエン系、ポリエステル系、ポリエチレン系、ウレタン系等の熱可塑性エラストマー等の弾性材料によって形成されている。
第一付勢手段３は、幅が好ましくは２ｍｍ〜３０ｍｍ、さらに好ましくは８ｍｍ〜１０ｍｍ、厚みが好ましくは０．５ｍｍ〜３ｍｍ、さらに好ましくは１ｍｍ〜２ｍｍの帯状となるように、容器本体上部１１及び開閉蓋２に形成される。
第一付勢手段３がこのような大きさに形成されていることによって、開閉蓋２を無理なく押し上げることが可能であり、かつ、開閉蓋２の閉塞時において、凹部１１１内において第一付勢手段３を容易に折り畳むことができる。
【００５８】
第一付勢手段３は、図４及び図５に示すように、開閉蓋２の閉塞時において、これが開閉蓋２の付け根において折り畳まれることとなる。そして、使用者が第一係止手段１１４を押圧し、本体側爪部１１４１と、開閉蓋側爪部２１との係合が外れた際には、折りたたまれた第一付勢手段３が伸びようとする力によって、開閉蓋２が開放され、図３に示す状態となる。
また、使用者が開閉蓋２を閉塞する際には、開閉蓋を上方から押せば、第一付勢手段３が折り畳まれ、図４及び図５に示す状態となる。
【００５９】
第一付勢手段３は、家庭用薄葉紙収納容器１００の形成時において、容器本体１及び開閉蓋２を、図３に示すように、開閉蓋２が開放された状態で形成し、第一付勢手段３が、何ら力を加えられていない状態において、図３に示すように伸びた状態となるように形成することで、開閉蓋２が閉じられ、図４及び図５に示すように第二付勢手段１３が折り畳まれた際に、図３に示す状態に戻ろうとする力が生じるようにする。これによって、開閉蓋２を、容器本体上部１１に対して、後方の開閉蓋２と容器本体上部１１との接続部分を回転軸として後方へと回転するように付勢することが可能となる。
【００６０】
［実施形態の効果］
実施形態に係る家庭用薄葉紙収納容器１００によれば、容器本体１が、容器本体上部１１と容器本体下部１２とによって構成され、これらが後面において回動自在に接続されていることから、容器をテーブル等の上に載置したままで容器本体上部を回動させることで、収納空間Ｓを開放し、家庭用薄葉紙Ｐを詰め替えることができる。
したがって、家庭用薄葉紙Ｐの詰め替えの際に、家庭用薄葉紙収納容器１００を持ち上げることを要せず、テーブル等に載置した状態のままで、詰め替え作業を行うことができる。
また、容器本体上部１１と容器本体下部１２とは、後面で接続されていることから、家庭用薄葉紙Ｐの詰め替え後において、容器本体上部１１と容器本体下部１２との位置を逐一合わせることなく、容易にこれらを嵌合させて容器本体１を閉じた状態とすることができる。
【００６１】
さらに、実施形態に係る家庭用薄葉紙収納容器１００によれば、開放制限手段１４によって、容器本体上部１１の、容器本体下部１２に対する開放角度が制限される。これによって、容器本体１の開放時に、開放された容器本体上部１１上面と、家庭用薄葉紙収納容器１００が載置された載置面Ｔとの間の間隙を確保することができ、使用者が指を入れるスペースが残されることから、これを再び閉じる作業が容易となる。
【００６２】
この場合、図５に示すように、開放時において、容器本体上部１１の上面が、家庭用薄葉紙収納容器１００が載置された載置面Ｔに接していない状態でこれが固定されることとなるが、この場合、特に開放角度が９０°以上となる場合において、容器本体上部１１によって、重心が後方となることから、家庭用薄葉紙収納容器１００が後方へと倒れやすくなる。
しかし、容器本体下部１２に、重り部１２３が備えられていることによって、家庭用薄葉紙収納容器１００を後方へと倒れ難くすることができる。このような効果は、重り部１２３が容器本体下部１２の前方に設けられていることによって、効率的に生じさせることができる。
【００６３】
さらに、実施形態に係る家庭用薄葉紙収納容器１００においては、上記のように、家庭用薄葉紙Ｐの取出し時に、取出孔１１２において家庭用薄葉紙Ｐに抵抗が掛かるところ、内部の家庭用薄葉紙Ｐが減少し、容器の重量が軽くなると、取出孔１１２の抵抗によって容器自体が持ち上がってしまい、家庭用薄葉紙Ｐを取り出し難くなることがある。
実施形態に係る家庭用薄葉紙収納容器１００によれば、重り部１２３によって、家庭用薄葉紙収納容器１００が重くなるため、内部の家庭用薄葉紙Ｐが減少した場合においても、これが持ち上がってしまうことを抑制することができる。
【００６４】
また、重り部１２３が、家庭用薄葉紙収納容器１００の他の部分においても用いられる弾性材料によって形成されている場合、重り部１２３を含めて、家庭用薄葉紙収納容器１００を、一体的に形成することができ、部品点数も増加しないことから、重り部１２３を備えることによって、生産性の低下を招くこともない。
【００６５】
さらに、図３から図５に示すように、重り部１２３が弾性材料によって、容器本体下部１２の下面側に露出するように形成されている場合、家庭用薄葉紙収納容器１００を載置した際にこれを滑りにくくするための滑り止め部としても機能させることができる。
【００６６】
また、実施形態に係る家庭用薄葉紙収納容器１００によれば、使用者が第一係止手段１１４を操作し、開閉蓋２の係止が外れると、第一付勢手段３によって、開閉蓋２が自動的に跳ね上げられることから、家庭用薄葉紙使用時の開閉蓋２の開放が容易となる。
さらに、使用者が第二係止手段１２２を操作し、容器本体下部１２に対する容器本体上部１１の係止が外れると、第二付勢手段１３によって、容器本体上部１１が自動的に跳ね上げられることから、家庭用薄葉紙Ｐを詰め替える際の、容器本体１の開放が容易となる。
また、第一付勢手段３は、容器本体上部１１及び開閉蓋２において、取出孔１１２周辺等の、他の弾性部材によって形成された部分と同一の弾性材料によって形成され、容器本体１及び開閉蓋２と一体的に形成することができる。また、第二付勢手段１３は、容器本体上部１１及び容器本体下部１２において、他の弾性材料によって形成された部分と同一の弾性材料によって形成され、容器本体１と一体的に形成することができる。したがって、異なる材料を用いる必要がなく、部品点数も増加しないことから、第一付勢手段３及び第二付勢手段１３を備えることによって、生産性の低下を招くこともない。
【００６７】
特に、容器本体上部１１の取出孔１１２周辺は、家庭用薄葉紙Ｐに対して適切な抵抗を掛けるためにも、弾性材料によって形成されることが望ましい。本実施形態によれば、このような取出孔１１２周辺から連続する形で、第一付勢手段３を形成することができ、取出孔１１２周辺と別途弾性材料を配置する必要がないことから、生産性の面でさらに好ましい。
【００６８】
また、容器本体上部１１に弾性材料によって本体側密閉環部１１３が形成され、開閉蓋２に弾性材料によって開閉蓋側密閉環部２２が備えられ、これらが開閉蓋２の閉塞時に嵌合するように構成されていることで、取出孔１１２、ひいては容器本体１内部の収納空間Ｓの気密性を改善させることができる。この効果は、本体側密閉環部１１３及び開閉蓋側密閉環部２２の双方が弾性材料によって形成されていることで、特に高めるこができる。
【００６９】
また、容器本体１上面の、開閉蓋２の後方に、弾性材料によって上部滑り止め部１１５が形成されていることで、開放時の開閉蓋２の安定性を改善することができる。
【００７０】
また、容器本体上部１１に弾性材料によって上部嵌合部１１６が形成され、容器本体下部１２に弾性材料によって下部嵌合部１２１が形成され、容器本体１の閉塞時に、これらが嵌合することで、容器本体１の気密性も向上することができる。この効果は、上部嵌合部１１６及び下部嵌合部１２１の双方が弾性材料によって形成されていることで、特に高めることができる。
【００７１】
また、家庭用薄葉紙収納容器１００は、全体を２種類の樹脂素材（シリコンゴムや、スチレン−ブタジエン系、ポリエステル系、ポリエチレン系、ウレタン系等の熱可塑性エラストマー等の弾性材料と、ポリエチレン、ポリプロピレン等の比較的硬質な材料）によって形成し、射出成形（２色成形）によって、これを一体的に形成することができることから、生産性にも優れる。
【００７２】
［変形例］
重り部の形状及び配置は、上記のものに限られない。例えば、図７に示すように、容器本体下部１２Ａの下面の全面に、弾性材料によって形成された部分を一体的に設けることにより、重り部１２３Ａを形成してもよい。この場合、重り部が容器本体下部１２の前方に集中的に設けられた場合と比較して、多くの弾性材料が必要となり、生産性は低下するが、容器本体下部１２Ａの下面の全面が弾性材料によって形成されることによって、滑り止めとしての効果を向上させることができる。
【００７３】
開放制限手段の具体的構成は、容器本体上部１１の開放角度を制限することができればよく、上記のものに限られない。例えば、容器本体の後方の内面側において、弾性材料によって、容器本体上部と容器本体下部とを繋ぐようにして形成されていてもよい。
【００７４】
具体的には、図８及び図９に示すように、容器本体上部１１Ｂの後方の内面側に、前方へと突出する第一突起部１１８を備え、容器本体下部１２Ｂの後方の内面側に、前方へと突出する第二突起部１２４を備える。
そして、弾性材料によって帯状に形成された開放制限手段１４Ａを、第一突起部１１８と、第二突起部１２４とを繋ぐように備え、図８に示すように、容器本体上部１１Ｂが閉じられた状態において、開放制限手段１４Ａが折り畳まれ、これが容器本体上部１１Ｂが開放されるにしたがって伸ばされるようにする。そして、図９に示すように開放制限手段１４ＡがＹ方向から見て略直線上となると、これ以上は開放制限手段１４Ａが伸びないことから、当該状態において、容器本体上部１１Ｂの開放が制限されることとなる。また、容器本体上部１１Ｂを閉じれば、再び図８に示すように開放制限手段１４Ａが折り畳まれた状態となる。
【００７５】
このように、弾性材料によって帯状に形成された開放制限手段１４Ａによって、容器本体上部１１Ｂに備えられた第一突起部１１８と、容器本体下部１２Ｂに備えられた第二突起部１２４とを繋ぐことによって、容器本体上部１１Ｂの開放を制限することができる。
また、開放制限手段１４Ａの長さの長短によって、容器本体上部１１Ｂの開放角度θを定めることができる。
【００７６】
このような開放制限手段１４Ａによれば、容器本体１Ｂの内面側に備えられることから、外面側に突起等を備える必要がなくなり、家庭用薄葉紙収納容器１００Ｂの外観を悪化させることがない。
【００７７】
また、開放制限手段１４Ａは、上記のように、弾性材料によって形成され、一端部が容器本体上部１１Ｂに備えられた第一突起部１１８に接続され、他端部が容器本体下部１２Ｂに備えられた第二突起部１２４に接続されており、かつ、これが容器本体上部１１Ｂの閉塞時に折り曲げられることとなる。
したがって、開放制限手段１４Ａにつき、何ら力を加えられていない状態において、これがＹ方向から見て略直線状の図９に示す状態となるように形成しておけば、図８に示すように容器本体上部１１Ｂと容器本体下部１２Ｂとが閉じられ、開放制限手段１４Ａが折り畳まれた際に、図９に示す状態に戻ろうとする力が生じる。これによって、容器本体上部１１Ｂを、容器本体下部１２Ｂに対して、後方の容器本体上部１１Ｂと容器本体下部１２Ｂとの接続部分を回転軸として後方へと回転するように付勢することが可能となる。
【００７８】
すなわち、開放制限手段１４Ａは、容器本体上部１１Ｂを容器本体下部１２Ｂに対し開放方向へと付勢するための付勢手段としても機能することとなる。したがって、別途第二付勢手段１３を備えずとも、使用者が第二係止手段１２２を押圧し、係合凸部１２２１と、係合凹部１１７との係合が外れた際に、容器本体上部１１Ｂを、後方の容器本体下部１２Ｂとの接続部分を回転軸として回転させ、収納空間Ｓを開放させることが可能となる。
【００７９】
なお、図８及び図９においては、容器本体１Ｂ後方の、Ｙ方向中央部付近に開放制限手段１４Ａが備えられた場合につき図示したが、具体的な形成位置、形成数はこれに限られない。例えば、Ｙ方向において複数箇所に開放制限手段１４Ａが備えられていてもよい。
【００８０】
その他、家庭用薄葉紙収納容器１００の重り部及び開放制限手段以外の構成は、本発明の要旨を逸脱しない範囲で、適宜変更可能である。
【００８１】
例えば、図７に示した容器本体１Ａのように、容器本体上部１１Ａと容器本体下部１２Ａとが、Ｘ方向において前側に向かって下がるように傾斜した分割線において分割されるようにしてもよい。
この場合、容器本体１Ａを開放した場合の、容器本体下部１２Ａの上面の開口部が広くなり、家庭用薄葉紙Ｐの詰め替えがさらに容易となる。
【００８２】
また、容器本体上部１１と、容器本体下部１２とは、必ずしも第二付勢手段１３によって、容器本体上部１１が付勢されているものに限られず、特に第二付勢手段１３を備えず、使用者が手で逐一容器本体上部１１を掴んで開閉するようにしてもよい。
【００８３】
また、容器本体上部の開閉蓋２の構造は、図示した開閉蓋２が第一付勢手段３によって付勢されているものに限られず、取出孔１１２を開閉できれば任意の構造を採用可能である。例えば、特に付勢手段を備えず、使用者が手で逐一開閉蓋２を掴んで開閉するようにしてもよい。
【実施例】
【００８４】
次に、本発明の実施例に係る家庭用薄葉紙収納容器につき、容器本体上部１１の開放時において、後方に倒れることを防止できるかにつき試験を行った結果について説明する。
【００８５】
［実施例及び比較例の構成］
以下の実施例に係る家庭用薄葉紙収納容器を用意した。
【００８６】
（実施例１）
前後方向130ｍｍ、左右方向150ｍｍ、高さ70ｍｍに形成された家庭用薄葉紙収納容器１００であり、上下方向中央部において、容器本体上部１１と、容器本体下部１２とに分割されている。
容器本体を形成する材料としては、弾性材料としてシリコンゴムを用い、他の部分の材料としてポリプロピレンを用いた。
各部分の重量は、容器本体上部１１と、開閉蓋２とを合わせた重量が４５．５ｇ、容器本体下部１２のうち、重り部１２３を除いた部分が３１．０ｇとなるように形成した。
重り部１２３は、粘土（成分：小麦粉、水、食塩）を用いて、前後方向10ｍｍ、左右方向110ｍｍ、高さ25ｍｍの直方体状に形成した。重量は２０ｇである。
なお、本来重り部１２３は、容器本体下部１２の他の部分と一体的に形成されることが好ましいが、ここでは、別体として形成の上、これを容器本体下部１２に備える形とした。
重り部１２３は、容器本体下部１２を前後方向に３等分した場合における、前側の３分の１の範囲に位置するように、容器本体下部１２に備えた。
また、開放制限手段１４は、容器本体上部１１の開放角度が160°となるように形成した。
【００８７】
（実施例２）
重り部１２３を、容器本体下部１２を前後方向に３等分した場合における、中央の３分の１の範囲に位置するように、容器本体下部１２に備えた。
その他の構成は、実施例１と同様である。
【００８８】
（実施例３）
重り部１２３を、容器本体下部１２を前後方向に３等分した場合における、後方の３分の１の範囲に位置するように、容器本体下部１２に備えた。
その他の構成は、実施例１と同様である。
【００８９】
（実施例４）
重り部１２３を、前後方向20ｍｍ、左右方向110ｍｍ、高さ30ｍｍの直方体状に形成した。重量は３０ｇである。
その他の構成は、実施例１と同様である。
【００９０】
（実施例５）
重り部１２３を、容器本体下部１２を前後方向に３等分した場合における、中央の３分の１の範囲に位置するように、容器本体下部１２に備えた。
その他の構成は、実施例４と同様である。
【００９１】
（実施例６）
重り部１２３を、容器本体下部１２を前後方向に３等分した場合における、後方の３分の１の範囲に位置するように、容器本体下部１２に備えた。
その他の構成は、実施例４と同様である。
【００９２】
（実施例７）
重り部１２３を、前後方向25ｍｍ、左右方向110ｍｍ、高さ20ｍｍの直方体状に形成した。重量は４０ｇである。
その他の構成は、実施例１と同様である。
【００９３】
（実施例８）
重り部１２３を、容器本体下部１２を前後方向に３等分した場合における、中央の３分の１の範囲に位置するように、容器本体下部１２に備えた。
その他の構成は、実施例７と同様である。
【００９４】
（実施例９）
重り部１２３を、容器本体下部１２を前後方向に３等分した場合における、後方の３分の１の範囲に位置するように、容器本体下部１２に備えた。
その他の構成は、実施例７と同様である。
【００９５】
（実施例１０）
重り部１２３を、前後方向30ｍｍ、左右方向110ｍｍ、高さ15ｍｍの直方体状に形成した。重量は67.5ｇである。
その他の構成は、実施例１と同様である。
【００９６】
（実施例１１）
重り部１２３を、容器本体下部１２を前後方向に３等分した場合における、中央の３分の１の範囲に位置するように、容器本体下部１２に備えた。
その他の構成は、実施例１０と同様である。
【００９７】
（実施例１２）
重り部１２３を、容器本体下部１２を前後方向に３等分した場合における、後方の３分の１の範囲に位置するように、容器本体下部１２に備えた。
その他の構成は、実施例１０と同様である。
【００９８】
（実施例１３）
重り部１２３を、前後方向35ｍｍ、左右方向110ｍｍ、高さ35ｍｍの直方体状に形成した。重量は140ｇである。
その他の構成は、実施例１と同様である。
【００９９】
（実施例１４）
重り部１２３を、容器本体下部１２を前後方向に３等分した場合における、中央の３分の１の範囲に位置するように、容器本体下部１２に備えた。
その他の構成は、実施例１３と同様である。
【０１００】
（実施例１５）
重り部１２３を、容器本体下部１２を前後方向に３等分した場合における、後方の３分の１の範囲に位置するように、容器本体下部１２に備えた。
その他の構成は、実施例１３と同様である。
【０１０１】
［試験方法］
実施例に係る家庭用薄葉紙収納容器を、上面が水平面となった台の上に容器本体下部１２の底面全体が接するように載置した状態で、第二係止手段１２２の係止を解除して容器本体上部１１を、最大（開放角度160°）まで開放させ、家庭用薄葉紙収納容器が後方へと倒れるか否かについて試験を行い、倒れなかった場合を○、倒れた場合を×とした。なお、容器本体内部に家庭用薄葉紙が収納されていない状態で試験を行った。
【０１０２】
（試験結果）
試験の結果を表Ｉに示す。
【０１０３】
【表１】
2019172331.tif 000003
【０１０４】
（評価）
上記各実施例の比較により、重り部を容器本体下部１２の前方に設けるほど、軽い重量の重り部によって、家庭用薄葉紙収納容器の転倒を防ぐことができることが分かる。
【符号の説明】
【０１０５】
１００、１００Ａ、１００Ｂ  家庭用薄葉紙収納容器
１、１Ａ、１Ｂ  容器本体
１１、１１Ａ、１１Ｂ  容器本体上部
１２、１２Ａ、１２Ｂ  容器本体下部
１２３、１２３Ａ  重り部
１４、１４Ａ  開放制限手段
２  開閉蓋
Ｐ  家庭用薄葉紙
【図１】
2019172331.tif 000004
【図２】
2019172331.tif 000005
【図３】
2019172331.tif 000006
【図４】
2019172331.tif 000007
【図５】
2019172331.tif 000008
【図６】
2019172331.tif 000009
【図７】
2019172331.tif 000010
【図８】
2019172331.tif 000011
【図９】
2019172331.tif 000012